(57)【要約】【課題】  番組の視聴予約を確実かつ容易に行なうことのできる携帯型番組受信装置および携帯型番組受信装置の視聴予約方法を提供する。【解決手段】  行動スケジュール表記憶部１３は移動日時および移動予定先からなる行動スケジュール表を保存する。視聴予約部１１は、番組の視聴予約を受け付けたときに、指定された視聴日時と同一日時の移動日時が行動スケジュール記憶部１３内の行動スケジュール表に登録されているか否かを調べ、登録されている場合には、行動スケジュール表を参照して移動日時の移動予定先を特定し、さらに、放送地区テーブル記憶部１４内の放送地区テーブルを参照して、特定した移動予定先の放送地区を特定し、インターネット通信部１５を指示して特定した放送地区のＥＰＧを受信させ、表示部１６に受信した番組表を表示させる。【選択図】        図２
2006166008.tif 000002
【特許請求の範囲】
【請求項１】
番組データを受信するチューナと、
番組表を受信する番組表受信部と、
前記受信した番組データおよび番組表を表示する表示部と、
移動日時および移動予定先を指定した行動スケジュールの入力を受け付け、行動スケジュール表に登録する行動スケジュール管理部と、
前記行動スケジュール表を保存する行動スケジュール表記憶部と、
視聴日時および視聴チャンネルを指定した番組の視聴予約を受け付けて、視聴予約リストに登録する視聴予約部と、
前記視聴予約リストを保存する視聴予約リスト記憶部とを備え、
前記視聴予約部は、前記番組表受信部を指示して前記行動スケジュール表の移動予定先の放送地区の番組表を受信させ、前記受信した番組表を前記表示部に表示させる、携帯型番組受信装置。
【請求項２】
前記視聴予約部は、前記番組の視聴予約を受け付けたときに、前記行動スケジュール表を参照して、前記指定された視聴日時と同一日時の移動日時の行動スケジュールが登録されているか否かを調べ、前記行動スケジュールが登録されている場合に、前記移動日時の移動予定先を特定し、前記移動予定先の放送地区の番組表の受信および表示を行なわせる、請求項１記載の携帯型番組受信装置。
【請求項３】
前記視聴予約部は、前記行動スケジュールの登録があったときに、前記視聴予約リストを参照して、前記行動スケジュールの移動日時と同一日時の視聴日時の視聴予約が登録されているか否かを調べ、前記視聴予約が登録されている場合に、前記視聴予約リストから前記登録された視聴予約を取消すとともに、前記移動日時の移動予定先を特定し、前記移動予定先の番組表の受信および表示を行なわせる、請求項１記載の携帯型番組受信装置。
【請求項４】
携帯型番組受信装置の視聴予約方法であって、
移動日時および移動予定先を指定した行動スケジュールの入力を受け付け、行動スケジュール表に登録するステップと、
視聴日時を指定した番組の視聴予約を受け付けたときに、前記行動スケジュールを参照して、前記指定された視聴日時と同一日時の移動日時の行動スケジュールが登録されているか否かを調べるステップと、
前記行動スケジュールが登録されている場合に、前記行動スケジュール表を参照して前記移動日時の移動予定先を特定するステップと、
前記特定した移動予定先の放送地区を特定するステップと、
前記特定した放送地区の番組表を受信するステップと、
前記受信した番組表を表示するステップとを含む、携帯型番組受信装置の視聴予約方法。
【請求項５】
携帯型番組受信装置の視聴予約方法であって、
視聴日時および視聴チャンネルを指定した番組の視聴予約を受け付けて、前記視聴日時および視聴チャンネルを視聴予約リストに登録するステップと、
移動日時および移動予定先を指定した行動スケジュールの登録があったときに、前記視聴予約リストを参照して、前記行動スケジュールの移動日時と同一日時の視聴日時の視聴予約が登録されているか否かを調べるステップと、
前記視聴予約が登録されている場合には、前記視聴予約リストから前記登録された視聴予約を取消すステップと、
前記行動スケジュール表を参照して前記移動日時の移動予定先を特定するステップと、  前記特定した移動予定先の放送地区を特定するステップと、
前記特定した放送地区の番組表を受信するステップと、
前記受信した番組表を表示するステップとを含む、携帯型番組受信装置の視聴予約方法。
【発明の詳細な説明】
【技術分野】
【０００１】
本発明は、携帯型番組受信装置および携帯型番組受信装置の視聴予約方法に関し、特に番組予約機能およびスケジュール管理機能を有する携帯型番組受信装置および携帯型番組受信装置の視聴予約方法に関する。
【背景技術】
【０００２】
近年、テレビ放送などでの番組データを受信する携帯型番組受信装置が提案されている。このような携帯型番組受信装置では、番組の視聴予約および／または録画予約の機能を有する。携帯型受信装置では、揃え置きの受信装置と異なり、ユーザが自由に持ち運びすることができる。そのため、視聴予約を行なった地点と、実際に視聴する地点とで、放送される番組が異なる場合がある。このような場合には、携帯型番組受信装置は、視聴予約を行なった番組のデータを受信することができず、ユーザは視聴予約した番組を視聴することができない。
【０００３】
これに対して、たとえば、特許文献１では、携帯型番組受信装置の現在位置を示す位置情報を受信し、現在位置に基づいて、番組の予約の修正が必要であることを告知する方法が開示されている。
【特許文献１】特開２００３−１８９２６７公報
【発明の開示】
【発明が解決しようとする課題】
【０００４】
しかしながら、特許文献１では、番組の予約の修正をした後、予約した番組の視聴時刻までにユーザが携帯型番組受信装置を持って移動すると、さらに予約の修正が必要となり、不便である。特に、番組の開始時刻の直前で、別の放送地区に移動したときには、予約の修正が現実にはできない場合がある。
【０００５】
また、当初予約した地点と、実際に視聴する地点とが同一であるが、ユーザが視聴予約した後、実際に視聴するまでの間に一時的に移動する場合もあり、その場合には、予約の修正が不要であり、無用な告知をすることになる。
【０００６】
それゆえに、本発明は、番組の視聴予約を確実かつ容易に行なうことのできる携帯型番組受信装置および携帯型番組受信装置の視聴予約方法を提供することである。
【課題を解決するための手段】
【０００７】
上記課題を解決するために、本発明に係る携帯型番組受信装置は、番組データを受信するチューナと、番組表を受信する番組表受信部と、受信した番組データおよび番組表を表示する表示部と、移動日時および移動予定先を指定した行動スケジュールの入力を受け付け、行動スケジュール表に登録する行動スケジュール管理部と、行動スケジュール表を保存する行動スケジュール表記憶部と、視聴日時および視聴チャンネルを指定した番組の視聴予約を受け付けて、視聴予約リストに登録する視聴予約部と、視聴予約リストを保存する視聴予約リスト記憶部とを備え、視聴予約部は、番組表受信部を指示して行動スケジュール表の移動予定先の放送地区の番組表を受信させ、受信した番組表を表示部に表示させる。
【０００８】
好ましくは、視聴予約部は、番組の視聴予約を受け付けたときに、行動スケジュール表を参照して、指定された視聴日時と同一日時の移動日時の行動スケジュールが登録されているか否かを調べ、行動スケジュールが登録されている場合に、移動日時の移動予定先を特定し、移動予定先の放送地区の番組表の受信および表示を行なわせる。
【０００９】
好ましくは、視聴予約部は、行動スケジュールの登録があったときに、視聴予約リストを参照して、行動スケジュールの移動日時と同一日時の視聴日時の視聴予約が登録されているか否かを調べ、視聴予約が登録されている場合に、視聴予約リストから登録された視聴予約を取消すとともに、移動日時の移動予定先を特定し、移動予定先の番組表の受信および表示を行なわせる。
【００１０】
また、本発明に係る携帯型番組受信装置の視聴予約方法は、携帯型番組受信装置の視聴予約方法であって、移動日時および移動予定先を指定した行動スケジュールの入力を受け付け、行動スケジュール表に登録するステップと、視聴日時を指定した番組の視聴予約を受け付けたときに、行動スケジュールを参照して、指定された視聴日時と同一日時の移動日時の行動スケジュールが登録されているか否かを調べるステップと、行動スケジュールが登録されている場合に、行動スケジュール表を参照して移動日時の移動予定先を特定するステップと、特定した移動予定先の放送地区を特定するステップと、特定した放送地区の番組表を受信するステップと、受信した番組表を表示するステップとを含む。
【００１１】
また、本発明に係る携帯型番組受信装置の視聴予約方法は、携帯型番組受信装置の視聴予約方法であって、視聴日時および視聴チャンネルを指定した番組の視聴予約を受け付けて、視聴日時および視聴チャンネルを視聴予約リストに登録するステップと、移動日時および移動予定先を指定した行動スケジュールの登録があったときに、視聴予約リストを参照して、行動スケジュールの移動日時と同一日時の視聴日時の視聴予約が登録されているか否かを調べるステップと、視聴予約が登録されている場合には、視聴予約リストから登録された視聴予約を取消すステップと、行動スケジュール表を参照して移動日時の移動予定先を特定するステップと、特定した移動予定先の放送地区を特定するステップと、特定した放送地区の番組表を受信するステップと、受信した番組表を表示するステップとを含む。
【００１２】
また、本発明に係る携帯型番組受信装置の視聴予約プログラムは、番組データを受信するチューナと、番組表を受信する番組表受信部と、受信した番組データおよび番組表を表示する表示部と、行動スケジュール表を保存する行動スケジュール表記憶部と、視聴予約リストを保存する視聴予約リスト記憶部とを備える携帯型番組受信装置の視聴予約プログラムであって、コンピュータを、移動日時および移動予定先を指定した行動スケジュールの入力を受け付け、行動スケジュール表に登録する行動スケジュール管理部と、視聴日時および視聴チャンネルを指定した番組の視聴予約を受け付けて、視聴予約リストに登録する視聴予約部として機能させ、視聴予約部は、番組表受信部を指示して行動スケジュール表の移動予定先の放送地区の番組表を受信させ、受信した番組表を表示部に表示させる。
【００１３】
好ましくは、視聴予約部は、番組の視聴予約を受け付けたときに、行動スケジュール表を参照して、指定された視聴日時と同一日時の移動日時の行動スケジュールが登録されているか否かを調べ、行動スケジュールが登録されている場合に、移動日時の移動予定先を特定し、移動予定先の放送地区の番組表の受信および表示を行なわせる。
【００１４】
好ましくは、視聴予約部は、行動スケジュールの登録があったときに、視聴予約リストを参照して、行動スケジュールの移動日時と同一日時の視聴日時の視聴予約が登録されているか否かを調べ、視聴予約が登録されている場合に、視聴予約リストから登録された視聴予約を取消すとともに、移動日時の移動予定先を特定し、移動予定先の番組表の受信および表示を行なわせる。
【発明の効果】
【００１５】
本発明によれば、番組の視聴予約を確実かつ容易に行なうことができる。
【発明を実施するための最良の形態】
【００１６】
以下、本発明の実施の形態について、図面を用いて説明する。
【００１７】
［第１の実施形態］
第１の実施形態は、番組の視聴予約時に、視聴日時と同一日時に行動スケジュールが登録されており、かつ現在位置の放送地区と移動予定先の放送地区とが異なる場合に、移動予定先の放送地区のＥＰＧ(Electric Program guide：番組表）を取得して、取得したＥＰＧに基づいて、番組の視聴予約を行なう携帯型番組受信装置に関する。
【００１８】
（放送システムの構成）
図１は、携帯型番組受信装置と、その通信相手の装置とを含む放送システムを表わす図である。
【００１９】
図１を参照して、放送システムは、携帯型番組受信装置１と、放送局６と、無線基地局３と、ＥＰＧサーバ５とからなる。
【００２０】
携帯型番組受信装置１は、放送局６から送信される番組データを受信する。放送局６は、番組予定情報をＥＰＧサーバ５に送信し、ＥＰＧサーバ５は、番組予定情報に基づいてＥＰＧを作成する。また、携帯型番組受信装置１は、ＥＰＧサーバ５から送信されるＥＰＧをインターネット４および無線基地局３を介して受信する。
【００２１】
（携帯型番組受信装置の構成）
図２は、第１の実施形態に係る携帯型番組受信装置の構成を示すブロック図である。
【００２２】
図２を参照して、携帯型番組受信装置１は、入力部１２と、行動スケジュール管理部１８と、行動スケジュール表記憶部１３と、視聴予約部１１と、放送地区テーブル記憶部１４と、視聴予約リスト記憶部１７と、インターネット通信部１５と、チューナ１９と、視聴制御部２０と、番組データ蓄積部２１と、表示部１６と、通話制御部２２と、無線通信部２３とを備える。
【００２３】
入力部１２は、ユーザから視聴日時および視聴チャンネルを指定した視聴予約と、移動日時および移動予定先を指定した行動スケジュールの入力を受け付ける。
【００２４】
行動スケジュール管理部１８は、入力部１２を通じて入力された行動スケジュールを行動スケジュール表に登録する。
【００２５】
行動スケジュール表記憶部１３は、行動スケジュール表を保存する。
【００２６】
図３は、行動スケジュール表の例を表わす図である。
【００２７】
図３を参照して、行動スケジュール表に登録される各行動スケジュールは、移動日時および移動予定先が指定される。たとえば、ある行動スケジュールは、移動日時（１０／２１の１０：００−１１：００）および移動予定先（地名Ａ１）が指定される。別の行動スケジュールは、移動日時（１０／２１の１３：００−１５：００）および移動予定先（地名Ｃ２）が指定される。
【００２８】
視聴予約部１１は、入力部１２を通じて入力された視聴予約を視聴予約リストに登録する。視聴予約部１１は、番組の視聴予約を受け付けたときに、行動スケジュール表を参照して、指定された視聴日時と同一日時の移動日時の行動スケジュールが登録されているか否かを調べ、行動スケジュールが登録されている場合には、行動スケジュール表を参照して移動日時の移動予定先を特定し、さらに、放送地区テーブルを参照して、特定した移動予定先の放送地区を特定し、インターネット通信部１５を指示して特定した放送地区の番組表を受信させ、受信した番組表を表示部１６に表示させる。
【００２９】
放送地区テーブル記憶部１４は、放送地区テーブルを保存する。
【００３０】
図４は、放送地区テーブルの例を表わす図である。
【００３１】
図４を参照して、放送地区テーブルは、各放送地区に含まれる地名が記述されている。
【００３２】
視聴予約リスト記憶部１７は、視聴予約リストを保存する。
【００３３】
図５は、視聴予約リストの例を表わす図である。
【００３４】
図５を参照して、視聴予約リストに登録される各視聴予約は、視聴日時および視聴チャンネルが指定される。たとえば、ある視聴予約は、視聴日時（９：００−１０：００）および視聴チャンネル（４チャンネル）が指定される。別の視聴予約は、視聴日時（１８：００−１９：００）および視聴チャンネル（６チャンネル）が指定される。なお、図示しないが、録画ありの視聴予約の場合には、視聴予約リストに視聴日時および視聴チャンネルに加えて、録画ありの識別子が登録されるものとする。
【００３５】
インターネット通信部１５は、視聴予約部１１の指示にしたがって、無線基地局３およびインターネット４を通じてＥＰＦサーバ５にアクセスして、ＥＰＧをダウンロードする。
【００３６】
チューナ１９は、放送局６から送信される番組データを受信する。
【００３７】
視聴制御部２０は、視聴予約リスト記憶部１７内の視聴予約リストにしたがって、チューナ１２を指示して番組を受信させる。また、録画ありの視聴予約の場合には、チューナ１９で受信した番組データを番組データ蓄積部２１に書込む。
【００３８】
番組データ蓄積部２１は、録画した番組データを蓄積する。
【００３９】
表示部１６は、チューナ１６で受信した番組データ、およびインターネット通信部１５でダウンロードしたＥＰＧを表示する。
【００４０】
通話制御部２２は、この携帯型番組受信装置が携帯電話として動作するときに、通話の制御を行なう。
【００４１】
無線通信部２３は、この携帯型番組受信装置が携帯電話として動作するときに、通話のための無線信号の送受信を行なう。
【００４２】
（動作）
図６は、第１の実施形態に係る携帯型番組受信装置の動作手順を示すフローチャートである。フローチャートの各ステップは、プログラムを図示しないメモリから読み出して実行する。このプログラムは、外部からインストールすることができる。
【００４３】
図６を参照して、まず、行動スケジュール管理部１３は、入力部１２を通じて、移動日時および移動予定先を指定した行動スケジュールの入力があると、当該移動日時および移動予定先を行動スケジュール表に登録して、行動スケジュール表記憶部１３に保存する（ステップＳ１０１）。
【００４４】
視聴予約部１１は、入力部１２を通じてユーザから視聴日時の入力があると、行動スケジュール表記憶部１３内の行動スケジュール表を参照して、入力された視聴日時に行動スケジュールが登録されているか否かを調べる（ステップＳ１０２）。
【００４５】
視聴予約部１１は、ステップＳ１０２で入力された視聴日時と同一日時の移動日時の行動スケジュールが登録されている場合には（ステップＳ１０２でＹＥＳ）、放送地区テーブル記憶部１４内の放送地区テーブルを参照して、その行動スケジュールの移動予定先の放送地区を特定する（ステップＳ１０３）。
【００４６】
視聴予約部１１は、移動予定先の放送地区をステップＳ１０２で入力された視聴日時において携帯型番組受信装置が位置する場所の放送地区と推定する（ステップＳ１０４）。
【００４７】
視聴予約部１１は、ステップＳ１０２で入力された視聴日時に行動スケジュールが登録されていない場合には（ステップＳ１０２でＮＯ）、その携帯型番組受信装置が通常置かれている場所（たとえばユーザの家庭など）の放送地区をステップＳ１０２で入力された視聴日時において携帯型番組受信装置が位置する場所の放送地区と推定する（ステップＳ１０５）。
【００４８】
次に、視聴予約部１１は、インターネット通信部１５を指示して、ステップＳ１０４またはＳ１０５で推定した放送地区のＥＰＧをダウンロードさせる（ステップＳ１０６）。
【００４９】
次に、視聴予約部１１は、ダウンロードにより取得したＥＰＧを表示部１６に表示する（ステップＳ１０７）。
【００５０】
次に、視聴予約部１１は、入力部１２を通じてユーザから視聴日時および視聴チャンネルの入力があると、入力された視聴日時および視聴チャンネルを視聴予約リストに登録し、視聴予約リストを視聴予約リスト記憶部１７に保存する（ステップＳ１０８）。
【００５１】
次に、視聴制御部２０は、視聴予約リスト記憶部１７内の視聴予約リストにしたがって、チューナ１２を指示して番組を受信させる（ステップＳ１０９）。
【００５２】
以上のように、本発明の第１の実施形態の携帯型番組受信装置によれば、番組の視聴予約時に、視聴日時と同一日時に行動スケジュールが登録されており、かつ現在位置の放送地区と移動予定先の放送地区とが異なる場合に、移動予定先の放送地区のＥＰＧを取得して、取得したＥＰＧに基づいて、番組の視聴予約を行なうので、番組の視聴予約を確実かつ容易に行なうことができる。
【００５３】
［第２の実施形態］
第２の実施形態は、行動スケジュールの登録時に、行動スケジュールの移動日時に視聴予約が設定されており、かつ視聴予約の放送地区と移動予定先の放送地区とが異なる場合に、移動予定先の放送地区のＥＰＧを取得して、取得したＥＰＧに基づいて、番組の視聴の再予約を行なう携帯型番組受信装置に関する。
【００５４】
（携帯型番組受信装置の構成）
第２の実施形態に係る携帯型番組受信装置の構成要素は、第１の実施形態に係る携帯型番組受信装置の構成要素と、視聴予約部１１を除いて同一である。以下では、視聴予約部１１について説明を行ない、その他の構成要素については説明を繰返さない。
【００５５】
視聴予約部１１は、入力部１２を通じて入力された視聴予約を視聴予約リストに登録する。視聴予約部１１は、行動スケジュールの登録があったときに、視聴予約リストを参照して、行動スケジュールの移動日時と同一日時の視聴日時の視聴予約が登録されているか否かを調べ、視聴予約が登録されている場合に、視聴予約リストから登録された視聴予約を取消すとともに、移動日時の移動予定先を特定し、さらに、放送地区テーブルを参照して、特定した移動予定先の放送地区を特定し、インターネット通信部１５を指示して特定した放送地区の番組表を受信させ、受信した番組表を表示部１６に表示させる。
【００５６】
（動作）
図７は、第２の実施形態に係る携帯型番組受信装置の動作手順を示すフローチャートである。フローチャートの各ステップは、プログラムを図示しないメモリから読み出して実行する。このプログラムは、外部からインストールすることができる。
【００５７】
図７を参照して、視聴予約部１１は、入力部１２を通じてユーザから視聴日時および視聴チャンネルの入力があると、入力された視聴日時および視聴チャンネルを視聴予約リストに登録し、視聴予約リストを視聴予約リスト記憶部１７に保存する（ステップＳ２０１）。
【００５８】
行動スケジュール管理部１３は、入力部１２を通じて、移動日時および移動予定先を指定した行動スケジュールの入力があると、当該移動日時および移動予定先を行動スケジュール表に登録して、行動スケジュール表記憶部１３に保存する（ステップＳ２０２）。
【００５９】
視聴予約部２１は、視聴予約リスト記憶部１７内の視聴予約リストを参照して、ステップＳ２０２で入力された行動スケジュールの移動日時と同一日時の視聴日時の視聴予約が登録されているか否かを調べる（ステップＳ２０３）。
【００６０】
視聴予約部２１は、視聴予約が登録されている場合には（ステップＳ２０３でＹＥＳ）、放送地区テーブル記憶部１４内の放送地区テーブルを参照して、ステップＳ２０２で入力された行動スケジュールの移動予定先の放送地区を特定する（ステップＳ２０４）。
【００６１】
次に、視聴予約部２１は、特定した移動予定先の放送地区と、視聴予約した時点において視聴日時に携帯型番組受信装置が位置すると想定した場所、つまり、携帯型番組受信装置が通常置かれている場所（たとえばユーザの家庭など）の放送地区とを比較する（ステップＳ２０５）。
【００６２】
視聴予約部２１は、移動予定先の放送地区と、視聴予約した時点において視聴日時に携帯型番組受信装置が位置すると想定した場所の放送地区とが異なる場合には（ステップＳ２０５でＹＥＳ）、インターネット通信部１５を指示して、移動予定先の放送地区のＥＰＧをダウンロードさせる（ステップＳ２０６）。
【００６３】
次に、視聴予約部２１は、ダウンロードにより取得したＥＰＧを表示部１６に表示する（ステップＳ２０７）。
【００６４】
次に、視聴予約部２１は、入力部１２を通じてユーザから視聴日時および視聴チャンネルの再入力があると、ステップＳ２０１で入力された行動スケジュールの移動日時と同一日時の視聴日時の視聴予約を取消すとともに、再入力された視聴日時および視聴チャンネルを視聴予約リストに登録し、視聴予約リストを視聴予約リスト記憶部１７に保存する（ステップＳ２０８）。
【００６５】
次に、視聴制御部２０は、視聴予約リスト記憶部１７内の視聴予約リストにしたがって、チューナ１２を指示して番組を受信させる（ステップＳ２０９）。
【００６６】
以上のように、本実施の形態に係る携帯型番組受信装置によれば、行動スケジュールの登録時に、行動スケジュールの移動日時に視聴予約が設定されており、かつ視聴予約の放送地区と移動予定先の放送地区とが異なる場合に、番組の視聴予約を取消すとともに、移動予定先の放送地区のＥＰＧを取得して、取得したＥＰＧに基づいて、番組の視聴の再予約を行なうので、番組の視聴予約を確実かつ容易に行なうことができる。
【００６７】
（変形例）
本発明は、上記の実施形態に限定されるものではない。以下、上記実施形態の変形例について説明する。
【００６８】
（１）  視聴予約の放送地区
本発明の第２の実施形態の動作手順を表わす図７のステップＳ２０５において、視聴予約した時点において視聴日時に携帯型番組受信装置が位置すると想定した場所の放送地区を携帯型番組受信装置が通常置かれている場所（たとえばユーザの家庭など）の放送地区としたが、これに限定するものではない。視聴予約リストに視聴日時および視聴チャンネルに加えて、放送地区を記述するものとし、当該放送地区を視聴予約した時点において視聴日時に携帯型番組受信装置が位置すると想定した場所としてもよい。
【００６９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７０】
【図１】携帯型番組受信装置と、その通信相手の装置とを含む放送システムを表わす図である。
【図２】第１の実施形態に係る携帯型番組受信装置の構成を示すブロック図である。
【図３】行動スケジュール表の例を表わす図である。
【図４】放送地区テーブルの例を表わす図である。
【図５】視聴予約リストの例を表わす図である。
【図６】第１の実施形態に係る携帯型番組受信装置の動作手順を示すフローチャートである。
【図７】第２の実施形態に係る携帯型番組受信装置の動作手順を示すフローチャートである。
【符号の説明】
【００７１】
１  携帯型番組受信装置、３  無線基地局、４  インターネット、５  ＥＰＧサーバ、６  放送局、１１  視聴予約部、１２  入力部、１３  行動スケジュール表記憶部、１４  放送地区テーブル記憶部、１５  インターネット通信部、１６  表示部、１７  視聴予約リスト記憶部、１８  行動スケジュール管理部、１９  チューナ、２０  視聴制御部、２１  番組データ蓄積部、２２  通話制御部、２３  無線通信部。
【図１】
2006166008.tif 000003
【図２】
2006166008.tif 000004
【図３】
2006166008.tif 000005
【図４】
2006166008.tif 000006
【図５】
2006166008.tif 000007
【図６】
2006166008.tif 000008
【図７】
2006166008.tif 000009